(57)【要約】【課題】タオルが湿っても即座に乾燥させ、快適にタオルを利用することができるタオル掛けを提供する。【解決手段】２つのシートが重ね合わされて構成され、それぞれのシートが重ね合わされる面とは反対のそれぞれの面に乾燥させる対象の乾燥対象物が当接されるシート部１１と、シート部を格納する格納部１２と、シート部の一辺が取り付けられ、シート部を格納部へ巻物状にして巻き上げる又は巻き上げる方向の回転とは逆に回転させてシート部を格納部から送り出す巻き上げ部１４と、シート部のそれぞれのシートの間に配設され、通電により発熱しシート部を温める電熱線２１とを備える。【選択図】図１
2020203056.tif 000002
【特許請求の範囲】
【請求項１】
２つのシートが重ね合わされて構成され、それぞれのシートが重ね合わされる面とは反対のそれぞれの面に乾燥させる対象の乾燥対象物が当接されるシート部と、
前記シート部を格納する格納部と、
前記シート部の一辺が取り付けられ、前記シート部を前記格納部へ巻物状にして巻き上げる又は巻き上げる方向の回転とは逆に回転させて前記シート部を前記格納部から送り出す巻き上げ部と、
前記シート部のそれぞれのシートの間に配設され、通電により発熱し前記シート部を温める電熱線とを、
備えることを特徴とするタオル掛け。
【請求項２】
前記シート部は、前記シートが重ね合わされた状態でそれぞれのシートを貫通する孔が配設されていることを特徴とする請求項１に記載のタオル掛け。
【請求項３】
前記シート部の前記乾燥対象物の当接される面を凹凸加工したことを特徴とする請求項１又は２に記載のタオル掛け。
【請求項４】
前記電熱線は、前記巻き上げ部に取り付けられた前記シート部の一辺と対向する他方の辺に近づくにつれて配設される密度が高くなることを特徴とする請求項１から３のいずれか１つに記載のタオル掛け。
【請求項５】
前記シート部は、前記乾燥対象物を収納する収納部を更に備えることを特徴とする請求項１から４のいずれか１つに記載のタオル掛け。
【請求項６】
前記シート部は、当接される前記乾燥対象物を覆う被覆部を更に備えることを特徴とする請求項１から４のいずれか１つに記載のタオル掛け。
【請求項７】
前記シート部に当接される前記乾燥対象物を、前記乾燥対象物の前記シート部への当接面とは反対の面の側から押さえるとともに、押さえた状態で前記乾燥対象物上を移動する挟み込み部を更に備えることを特徴とする請求項１から４のいずれか１つに記載のタオル掛け。
【発明の詳細な説明】
【技術分野】
【０００１】  本発明は、タオルを掛けるタオル掛けに関する。
【背景技術】
【０００２】  従来から、濡れた手や体などを拭くためのタオルを掛けておくタオル掛けが洗面所や台所などに設置されている。洗面所や台所などに設置されたタオル掛けのタオルは、多くの人（例えば、家族全員）が１日のうちに何度も利用するため、乾ききらずに湿った状態で放置されることが多い。湿ったタオルで手や体を拭くことは利用者に不快感を与えていた。これに対して、湿ったタオルを乾燥させるためのタオル掛けがある（特許文献１を参照）。特許文献１に開示されたタオル掛けは、壁面とタオルの間に隙間を設けることで風通しをよくするため、隙間がない場合に比べれば多少の乾燥には役立つ。
【先行技術文献】
【特許文献】
【０００３】
【特許文献１】特開２０１８−６８７９４号公報
【発明の概要】
【発明が解決しようとする課題】
【０００４】  しかし、多くの人が頻繁に利用する場合には、タオルを乾燥させることはできず、タオルは湿った状態で放置されるという問題がある。また、壁面とタオルとの間に隙間を設ける構成のため、タオル掛けが壁面から前方へ出っ張り、特に洗面所などの狭い空間ではタオル掛けが邪魔になるという問題もある。【０００５】  本発明は、上記課題に鑑み、タオルが湿っても即座に乾燥させ、快適にタオルを利用することができるタオル掛けを提供することを目的とする。
【課題を解決するための手段】
【０００６】  上記目的を達成するために、本発明は、２つのシートが重ね合わされて構成され、それぞれのシートが重ね合わされる面とは反対のそれぞれの面に乾燥させる対象の乾燥対象物が当接されるシート部と、前記シート部を格納する格納部と、前記シート部の一辺が取り付けられ、前記シート部を前記格納部へ巻物状にして巻き上げる又は巻き上げる方向の回転とは逆に回転させて前記シート部を前記格納部から送り出す巻き上げ部と、前記シート部のそれぞれのシートの間に配設され、通電により発熱し前記シート部を温める電熱線とを、備えることを特徴とする。【０００７】  また、本発明のタオル掛けにおいて、前記シート部が、前記シートが重ね合わされた状態でそれぞれのシートを貫通する孔が配設されていることは好ましい態様である。【０００８】  また、本発明のタオル掛けにおいて、前記シート部の前記乾燥対象物の当接される面を凹凸加工したことは好ましい態様である。【０００９】  また、本発明のタオル掛けにおいて、前記電熱線が、前記巻き上げ部に取り付けられた前記シート部の一辺と対向する他方の辺に近づくにつれて配設される密度が高くなることは好ましい態様である。【００１０】  また、本発明のタオル掛けにおいて、前記シート部が、前記乾燥対象物を収納する収納部を更に備えることは好ましい態様である。【００１１】  また、本発明のタオル掛けにおいて、前記シート部が、当接される前記乾燥対象物を覆う被覆部を更に備えることは好ましい態様である。【００１２】  また、本発明のタオル掛けにおいて、前記シート部に当接される前記乾燥対象物を、前記乾燥対象物の前記シート部への当接面とは反対の面の側から押さえるとともに、押さえた状態で前記乾燥対象物上を移動する挟み込み部を更に備えることは好ましい態様である。
【発明の効果】
【００１３】  本発明によれば、タオルが湿っても即座に乾燥させ、快適にタオルを利用することができる。
【図面の簡単な説明】
【００１４】
【図１】本発明の第１の実施形態におけるタオル掛けの使用時の状態を示す正面図である。
【図２】本発明の第１の実施形態におけるタオル掛けの巻き上げ部を示す斜視図である。
【図３】本発明の第１の実施形態におけるタオル掛けのシート格納時の状態を示す正面図である。
【図４】本発明の第１の実施形態におけるタオル掛けの使用時の状態を示す斜視図である。
【図５】本発明の第１の実施形態におけるタオル掛けの使用時の状態を側面から見た側面図である。
【図６】本発明の第１の実施形態におけるタオル掛けの電熱線が配設されたシートを示す図である。
【図７】本発明の第１の実施形態におけるタオル掛けのシートのＡＡ矢視による断面図である。
【図８】本発明の第１の実施形態におけるタオル掛けの電熱線が下方に密集するシートを示す図である。
【図９】本発明の第１、第２の実施形態におけるタオル掛けの他の態様のシートの断面図である。
【図１０】本発明の第１の実施形態におけるタオル掛けをバーに掛けた状態を示す斜視図である
【図１１】本発明の第１の実施形態におけるタオル掛けのシート部分に袋部を備えたタオル掛けの斜視図である。
【図１２】本発明の第１の実施形態におけるタオル掛けのシート部分に袋部を備えたタオル掛けを側面から見た側面図である。
【図１３】本発明の第１の実施形態におけるタオル掛けのシート部分に被覆部を備えたタオル掛けの斜視図である。
【図１４】本発明の第１の実施形態におけるタオル掛けのシート部分に被覆部を備えたタオル掛けを側面から見た側面図である。
【図１５】本発明の第１の実施形態におけるタオル掛けのシート部分に挟み込み部を備えたタオル掛けの斜視図である。
【図１６】本発明の第２の実施形態におけるタオル掛けのシートを示す図である。
【図１７】本発明の第２の実施形態におけるタオル掛けのシートのＢＢ矢視による断面図である。
【発明を実施するための形態】
【００１５】＜第１の実施形態＞
以下、第１の実施形態について図面を参照して説明する。図１は第１の実施形態におけるタオル掛けを使用する際の正面から見た正面図である。タオル掛け１０は、タオルを掛けるシート１１と、シート１１を格納する格納部１２と、格納部１２に格納されたシート１１を格納部１２から引っ張り出したり、引っ張りだされたシート１１を格納部１２へ格納させたりする引き出し部１３とから構成されている。さらに、タオル掛け１０は、シート１１の一辺が取り付けられ、シート１１を格納部１２へ巻物状にして巻き上げる又は巻き上げる方向の回転とは逆に回転させてシート１１を格納部１２から送り出す巻き上げ部１４を格納部１２内に備える。
【００１６】  シート１１は、２つのシートが重ね合わされて構成され、それぞれのシートが重ね合わされる面とは反対のそれぞれの面に乾燥させる対象の乾燥対象物（例えば、タオルなど）が当接される。すなわち、シート１１の表面にタオルが接する。シート１１は、四角形状となっており、四辺のうちの一辺が巻き上げ部１４に取り付けられ、格納部１２へ巻物状（ロール状）に巻き込まれて格納されており、例えばロールスクリーンのように巻物状になって格納されている。また、シート１１は、格納部１２から引っ張り出される際、引き出し部１３が所定の位置（例えば、シート１１全体が格納部１２から引っ張り出される位置）まで移動するとシート１１の巻き込み構造にロック（ストッパー）がかかり、シート１１全体が格納部１２から引っ張り出された状態で維持される（図１参照）。維持された状態から格納部１２にシート１１を格納する際は、例えば引き出し部１３をさらに引っ張ることでロックが外れてシート１１が巻き込まれて格納部１２へ格納される。
【００１７】  上記のようにシート１１を巻き込むために巻き上げたり、引っ張り出すためにシート１１を送り出したりする機能は格納部１２に設けられた巻き上げ部１４（図２を参照）によって実現される。シート１１が格納部１２に巻き上げられて格納されるため、タオル掛けを使用しない場合にはシート１１を格納させることができ、小さくまとまらない（コンパクトにならない）自立型の大きなタオルウォーマーと比べ、洗面所などのスペースの狭い場所にタオル掛け１０を置いておいても邪魔にならず、持ち運びも容易にすることができるという有利な効果を奏する。また、タオル掛け１０は不使用時にはコンパクトになり自立型のタオルウォーマーと比べて見栄えもよく、タオル掛け１０の格納部１２などにお洒落な照明や飾りを付けたり、模様を施すことによってコンパクトなインテリアとしても活用でき、余分な照明やインテリア商品を付ける手間を省くことができるという有利な効果を奏する。また、シート１１にタオルを当接させて後述する電熱線２１の熱を利用して乾燥させるものであるため、温風でタオルを乾燥させるものと比べ、音を発生させることなく乾燥させることができるため、時間や場所を選ばずにタオル掛け１０を使用することができるという有利な効果も奏する。
【００１８】  巻き上げ部１４について図２を用いて説明する。ここでの巻き上げ部１４は、一般的なロール式カーテンなどで利用されているプルコード式と呼ばれる一般的なものである。プルコード式とは、プルコード（引き出し部１３、又はシート１１や引き出し部１３に取り付けられたコード）を引いた分だけシート１１が下がり、少し引いて手を放すとシート１１が自動で巻き上がるものである。
【００１９】  なお、本発明の巻き上げ部１４はプルコード式に限定されるものではなく、他の方式、例えばチェーン式、ハンドル式、ワンタッチ式、ループコード式、電動式などであってもシート１１の巻き上げ、送り出しに支障がないものであればよい。チェーン式とはチェーンを引いた分だけシート１１の上げ下げができるものである。ハンドル式とはハンドルを持ってシート１１を直接上げ下げするものである。ワンタッチ式とはチェーンを引いた分だけシート１１が下がり、少し引いて手を放すとシート１１が自動で巻き上がるものである。ループコード式とはループコードを引いた分だけシート１１の開閉操作をすることができるものである。電動式とは離れた場所からでもリモコン操作でシート１１の巻き上げ、送り出しをすることができるものである。
【００２０】  巻き上げ部１４は、主として巻き上げチューブ１５とスプリング１６から構成されたている。巻き取りチューブ１５は、シート１１の一辺を巻き付けチューブ１５に設けられた溝にはめて固定させ、シート１１を巻き付けるものである。スプリング１６はスプリング１６の力で巻き上げチューブ１５を回転させてシート１１を巻き上げるものである。シート１１を送り出す場合には上記回転（巻き上げる方向の回転）とは逆の回転をさせる。
【００２１】  また、シート１１には、シート１１全体が引っ張りだされてロックがかかった状態で、シート１１の一部が切り取られた隙間１７が設けられている。隙間１７には不図示のタオル（体を拭く大き目のタオル（バスタオル）を含む）が通され、タオルをシート１１に掛けられるようにする。また、隙間１７は常時開放されているものに限定されるものではない。例えば、隙間１７の開口の周囲に収縮素材（例えば、ゴムなど）を設け、常時は収縮素材の収縮性により隙間１７が閉じられている。そして、使用時には収縮性により閉じられた隙間１７を広げるようにしてこじ開け、こじ開けた隙間１７にタオルを通してシート１１にタオルを掛ける。これにより、タオルを隙間１７に通した後は収縮素材の収縮性により隙間１７は閉じられ、タオルは隙間１７によって押さえられる。すなわち、隙間１７はタオルを押さえるストッパーの機能を果たし、タオルがシート１１からズレ落ちることを防ぐことができる。
【００２２】  また、タオル掛け１０は、さらにタオル掛け１０を既存のタオル掛けや物干しなどのバーに引っ掛けるためのフック１８（１８ａ、１８ｂ）を備えてもよい。フック１８により、既存のタオル掛けにタオル掛け１０を引っ掛けることができるため、タオル掛け１０を設置するための新たな設備を用意する必要がない。フック１８の形状は後述する図４に示すフック形状に限定されるものではなく、他の形状であってもよい。
【００２３】  図３はタオル掛け１０のシート１１が格納部１２に格納された状態を示す正面図である。この状態はタオル掛け１０を使用しない状態、すなわち使用前の状態を示している。使用前ではシート１１は格納部１２に巻物状にして巻き込まれている。使用する際には格納部１２からシート１１を引き出し、上記したロックをかける。格納部１２の長手方向の長さは、タオルや風呂上がりに体を拭くバスタオルが伸ばして掛けることが可能なシートを収めることができる幅の長さが少なくとも必要である。
【００２４】  図４はタオル掛け１０の使用時の状態を示す斜視図である。すなわち、引き出し部１３を下方へ引っ張り、シート１１が格納部１２から引き出され、ロックが掛かって維持された状態である。
【００２５】  図５は図４に示すタオル掛け１０の使用時の状態を矢印の方向に向かって見た際の側面図である。引き出し部１３の大きさは格納部１２に比べて小さいが、大きさはこれに限定されるものではない。なお、格納部１２や引き出し部１３は直方体の形状となっているが、これに限られるものではなく円柱形状などであってもよい。また、引き出し部１３は設けなくてもよい。その場合、引き出し部１３が接続されていた露出したシート１１の端部を引っ張ることでシート１１の出し入れをするようにしてもよい。また、引っ張るためのコード（プルコード）をシート１１の端部に設置するようにしてもよい。
【００２６】  ここで、タオル掛け１０のシート１１の詳細について図６を用いて説明する。図６は電熱線２１が配設されたシート１１を示す図である。シート１１は上述したように２つのシートが重ね合わされたものであり、電熱線２１はそれぞれのシートの間に挟まれるようにして配設されている。すなわち、電熱線２１は、シート１１のそれぞれのシートの間に配設され、通電により発熱しシート１１を温めることができる（クレーム１）。ここでの電熱線２１は屈曲可能であって被覆が施されており、図６や後述する図８では電熱線２１は破線で示されている。
【００２７】  電熱線２１は電気を供給する不図示の電源コードに接続されており、タオル掛け１０に設けられた不図示の電源スイッチをオンにすることで電気が供給され温められる。電源スイッチの配置位置は電源スイッチをオンにしやすい位置であれば特に限定されるものではなく、例えば格納部１２の表面部分に配置される。
【００２８】  また、電熱線２１に電気が供給される時間（タイマー）を設定することができるタイマー設定機能を設けてもよい。タイマー設定をすることにより、所望の時間だけ電熱線２１を温め、タオルを乾燥させることができる。また、タオル掛け１０にシート１１に不図示の湿度を計測できる湿度計などを設け、設定された湿度を境に電源スイッチがオンにされたりオフにされたりしてもらいよい。すなわち、設定された湿度（例えば、湿度４０％）を超えた場合に電源スイッチがオンにされ、設定された湿度を下回った場合に電源スイッチがオフにされるようにしてもよい。また、電源スイッチを設けず、電源コードの先端に設けられた電源プラグをコンセントの差し込み口に差し込むことで通電して電気を供給するようにしてもよい。
【００２９】  また、シート１１は、２つのシートが重ね合わされた状態でそれぞれのシートを貫通する孔（通気孔２２）が配設されていてもよい。通気孔２２はシート１１を貫通しているため空気の往来が可能となり、シート１１とタオルとの間に湿気がこもることを防ぎ、早期にタオルを乾燥させることができる。ここでは、通気孔２２は電熱線２１の配設の邪魔にならないように整列しているが、電熱線２１の配設の邪魔にならなければシート１１上のいずれの位置に配設されるようにしてもよい。また、通気孔２２の数、大きさ、形状も図６に示すものに限定されるものではない。例えば、通気孔２２は図６に示すような円形ではなく楕円形や長方形などであって、大きさもより大きいものであってもよい。シート１１を切断線（ＡＡ矢視）により切断した断面図を図７に示す。図７に示すように、電熱線２１はシート１１内に等間隔で配設されている。ここではシート１１の厚みは均一となっているが下方、すなわち巻き上げ部１４に取り付けられたシート１１の一辺と対向する他方の辺に近づくにつれて厚みが厚くなるようにシート１１を構成してもよい。すなわち、シート１１の厚みは、巻き上げ部１４に取り付けられたシート１１の一辺と対向する他方の辺に近づくにつれて厚くなり、断面的には山型の形状となる。山型にするには、例えば下方につれてシート１１を構成する各シートの厚みを厚くしたり、各シート間にあらかじめ山型形状となった型を挟み込んでその型に各シートを張り付けたりするが、山形形状にする方法はこれに限定されるものではない。これにより、シート１１をタオル掛け１０に掛けた際、手を拭く際によく使われるタオルの長手方向における端部分がシート１１に密着するため、より早くタオルを乾かすことができる。なお、この山型の形状は以下で説明するシート（図８、図９、図１１、図１３、図１５、図１６）において構成されてもよい。
【００３０】  また、電熱線２１は、巻き上げ部１４に取り付けられたシート１１の一辺と対向する他方の辺に近づくにつれて配設される密度が高くなるようにしてもよい。すなわち、図８に示すように、シート１１の下方に向かうにつれて電熱線２１の配設の密度が高くなっている。通気孔２２の数や大きさについては、電熱線２１の配設の邪魔にならなければよく、シート１１上のいずれの位置にいずれの大きさで配設されてもよい。これにより、手を拭く際によく使われるタオルの長手方向における端部分が当たるシート１１の部分（下方部分）に電熱線２１が集中するため、より早くタオルを乾かすことができる。
【００３１】  また、シート１１は２つのシートを重ね合わせたものであり、図７に示すようにタオルが当接するシート１１の表面は凹凸のない平面で構成されているが、図９のシート１１の断面図に示すように、タオルが当接するシート１１の表面が凹凸に加工（エンボス加工）されていてもよい。これにより、凸部９０にタオルが当接し、凹部９１に空気層ができるため、温められた空気が空気層に滞留し、タオルをより早く乾燥させることができる。これはタオルを当接させるシート１１を用いるため、温められた空気を空気層に滞留させることができ、タオルをより早く乾燥させることができるという有利な効果を奏する。このエンボス加工は後述する袋部２６を構成するシート、被覆部２７を構成するシート、挟み込み部２８を構成するシート、風道部４２を構成するシートにおいてなされていてもよい。また、エンボスを構成するピッチ（幅）は等間隔である必要はなく、細かいピッチなどでもよく、またシート１１全体に施される必要もない。
【００３２】  エンボス加工を施す方法は、例えば凹凸の押し型でシート１１を強圧してエンボスを施すが、シート１１が合成繊維の場合には型押しとともに加熱し、レーヨンや木綿の場合には生地に樹脂加工をしてから型押し加熱する。これにより、シート１１を洗濯などしてもエンボス加工が消えないようにすることができる。なお、型押しの際、電熱線２１が凸部９０に配設されるように型押しする。
【００３３】  図１０はタオル２０をバー１９に掛けた状態のタオル掛け１０の斜視図である。図１０ではタオル掛け１０は、洗面台やキッチンなどにある既存のタオル掛けのバー１９にフック１８を引っ掛けて使用されている。タオル２０は隙間１７を通してシート１１に掛けられる。具体的には、タオル２０を２つ折りにした半分の部分がシート１１の片面側（前面側）、もう一方の半分の部分がシート１１のもう一方の片面側（裏面側）になるように掛ける。これにより、タオル２０の全面を乾燥させることができる。
【００３４】  なお、フック１８を引っ掛けるバー１９はタオル掛け１０を使用したい場所に新たに設けたものであってもよい。また、ここではフック１８をバー１９に引っ掛けてタオル掛け１０を使用しているが、フック１８を引っ掛けるのではなく、格納部１２を壁などに固定させて使用するものでもよい。すなわち、タオル掛け１０を使用する場所に応じて、タオル掛け１０をバー１９に引っ掛けたり、壁やドアなどに固定したりして使用することが可能である。固定の方法は、例えばネジや粘着性テープなどで格納部１２を壁などに固定する方法が考えられるが、これに限定されるものではない。
【００３５】  また、上述したタオル掛け１０（図４や図１０を参照）は更にシート１１部分に袋部（ポケットなど）２６を備えたタオル掛けについて図１１を用いて説明する。図１１に示すように、シート１１はタオル２０を収納する袋部（収納部）２６が備えられている。袋部２６はタオル２０が掛けられた際にタオル２０の長手方向の端部を収納するものである。タオル２０の長手方向の端部が袋部２６に収納されることにより、手を拭く際によく使われる長手方向における端部がシート１１により密着し温められるため、タオル２０においてよく使われる部分をより早く乾燥させることができる。
【００３６】  手を拭く際には袋部２６からタオル２０の長手方向の端部を取り出して手を拭き、手を拭き終わった後に再度、タオル２０の長手方向の端部を袋部２６に収納する。なお、袋部２６は図１１では示されていないシート１１の裏面（背面）においても同様に設けられていてもよい。
【００３７】  また、袋部２６はシート１１と同じ素材又は別の素材をシート１１に取り付けて構成されるものであり、シート１１とは一体型又は着脱可能であってもよい。また、ここでは袋部２６はタオル２０の長手方向の端部が入る側の辺２６ａのみが開放可能となっており、他の３辺（辺２６ａと対向する辺、辺２６ａに隣接する垂直のそれぞれの辺）においては閉じられている。しかし、この構成に限定されるものではなく、他の３辺の一部の辺についても開放可能となっていてもよい。例えば、辺２６ａと対向する辺については開放可能となっていてもよい。すなわち、辺２６ａに隣接する垂直のそれぞれの辺は閉じられている。
【００３８】  また、辺２６ａには伸縮可能な素材、例えばゴムや糸などが配置されていてもよい。これにより、タオル２０の長手方向の端部が収納された状態で辺２６ａが伸縮して開放部分を閉じて蓋の役割を果たすため、よりタオル２０の長手方向の端部がシート１１に密着しさらに熱を逃がさずにより早く乾燥させることができる。
【００３９】  図１２は図１１に示すタオル掛け１０を矢印の方向に向かって見た際の側面図である。図１２に示すように、タオル２０の長手方向の端部が収納できるように袋部２６の辺２６ａが開放されている。
【００４０】  また、上述したタオル掛け１０（図４や図１０を参照）は更にシート１１部分に被覆部２７を備えたタオル掛けについて図１３を用いて説明する。図１３に示すように、シート１１は当接されるタオル２０を覆う被覆部２７を更に備える。被覆部２７はタオル掛け１０のシート１１に掛けられたタオル２０をシート１１との間で挟み込むようにしてタオル２０の表面を覆う（押さえつける）ものである。タオル２０を被覆部２７によって覆うことによってシート１１と被覆部２７の間に挟まれたタオル２０は、シート１１に対して、より密着して温められるため、タオル２０をより早く乾燥させることができる。
【００４１】  タオル２０が被覆部２７に覆われていて手を拭く際には、例えば被覆部２７の辺２７ａを基点にして辺２７ａに対向する辺２７ｂを持って手前（矢印１２０の方向）に引くようにして被覆部２７を開き、タオル２０を露出させる。手を拭き終わった後は、再度タオル２０を覆うように被覆部２７を戻す。
【００４２】  また、被覆部２７はシート１１と同じ素材又は別の素材から構成されており、辺２７ａの部分がシート１１に接続されている。なお、被覆部２７はシート１１とは一体型であっても着脱可能であってもよい。また、被覆部２７の見開き方向はこれに限定されるものではなく、辺２７ｂがシート１１に接続されていて辺２７ａを持って手前に引くようにしてもよい。
【００４３】  図１４は図１３に示すタオル掛け１０を矢印１２１の方向に向かって見た際の側面図である。図１４に示すように、被覆部２７はシート１１に密着するようにタオル２０を覆うことが可能となっている。
【００４４】  また、上述したタオル掛け１０（図４や図１０を参照）は更にシート１１部分に挟み込み部２８（２８ａ、２８ｂ）を備えたタオル掛けについて図１５を用いて説明する。図１５に示すように、シート１１は、シート１１に当接されるタオル２０を、タオル２０のシート１１への当接面とは反対の面の側から押さえるとともに、押さえた状態でタオル２０上を移動する挟み込み部２８を更に備える。すなわち、挟み込み部２８は、タオル２０をシート１１へ掛けた状態でタオル２０を外側から押さえる。挟み込み部２８は、タオル２０が掛けられた際にタオル２０を押さえた状態でタオル２０の長手方向の端部からタオル２０の表面上を上方（格納部１２の方向）へ移動するものである。挟み込み部２８がタオル２０を押さえた状態で移動することにより、タオル２０の押さえられた部分がシート１１に密着し温められるため、タオル２０をより早く乾燥させることができる。
【００４５】  挟み込み部２８（２８ａ、２８ｂ）の移動範囲はシート１１の下方端部２９から上方端部３０、すなわちシート１１の端から端までであってもよく、また下方端部２９から上方端部３０の間の一部の範囲であってもよい。これにより、タオル２０においてよく手を拭く部分を集中して乾燥させることができる。
【００４６】  また、ここでは、挟み込み部２８は２つの挟み込み部２８ａ、２８ｂから構成されているがこれに限定されるものではなく、１つの挟み込み部で構成されていてもよい。すなわち、図１２に示すような被覆部２７の辺２７ａの長さを短くしたものを挟み込み部として上下に移動できるようにしたものであってもよい。
【００４７】  手を拭く際には、図１３に示す被覆部２７のように挟み込み部２８ａ、２８ｂの端部３１ａ、３１ｂを持って手前（矢印１４０の方向）に引くようにして挟み込み部２８ａ、２８ｂを開く。なお、例えば一方の挟み込み部２８ａのみを開くようにしてもよい。手を拭き終わった後は、再度タオル２０を押さえるように挟み込み部２８ａ、２８ｂを戻す。なお、挟み込み部２８は図１５では示されていないシート１１の裏面（背面）においても同様に設けられていてもよい。
【００４８】  また、挟み込み部２８はシートと同じ素材又はシート１１とは別の素材（例えば、金属、プラスティック、木、生地など）であり、シート１１とは着脱可能である。挟み込み部２８は、あらかじめシート１１に設けられた挟み込み部２８が移動するためのレール（不図示）などの導線上を車輪などを介して電気や電池を動力として移動したり、挟み込み部２８に別途設けられた不図示の移動手段（車輪を介して移動するもの）をシート１１に取り付けて電気や電池を動力として移動したりしてもよい。
【００４９】＜第２の実施形態＞
第２の実施形態におけるタオル掛けについて図１６を用いて説明する。第２の実施形態におけるタオル掛けは第１の実施形態のタオル掛けとシートの構成が異なるのみで他の構成については同一であるため、第２の実施形態のタオル掛けのシート４１についてのみ説明し他の構成については説明を省略する。
【００５０】  シート４１は、２つのシートが重ね合わされており、それぞれのシートの間に配設され、温風を吹き出す温風発生器（例えば、ドライヤー）から吹き出される温風を通す風道部（トンネル）４２を備える。更に、シート４１は、それぞれのシートが重ね合わされた状態でそれぞれのシートを貫通する孔４３が風道部４２上に配設されていてもよい。
【００５１】  図１６に示すように、シート４１は不図示の温風発生器の温風吹出口が挿入される挿入口４４を備える。挿入口４４に挿入された温風吹出口から吹き出される温風は、風道部４２を通って排出口４５から排出される。これにより、シート４１に掛けたれたタオル２０が風道部４２を通る温風によって温められ、乾燥させることができる。このとき、風道部４２は円柱形状であるが、排出口４５は円柱形状ではなく風道部４２に比べて先細っていく形状であってもよい。これにより、温風を一気に排出せずに風道部４２内に温風を滞留させ、シート４１に掛けられたタオル２０をより乾燥させることができる。
【００５２】  また、シート４１を貫通する孔４３が風道部４２上に配設されていることにより、風道部４２を通る温風の一部が孔４３から吹き出し、シート４１に掛けられたタオル２０に温風が当たり、より早く乾燥させることができる。なお、孔４３の大きさは一様ではなく、異なる大きさであってもよい。孔４３が大きいほど孔４３から吹き出される温風は多くなるため、手をよく拭くタオル２０の長手方向の端部が当たるシート４１の領域において孔４３を他の領域の孔４３よりも大きくしてもよい。これにより、手をよく拭くタオル２０の長手方向の端部をより早く乾燥させることができる。
【００５３】  また、風道部４２は一様な形状をしているが、場所によって形状を変化させてもよい。例えば、手をよく拭くタオル２０の長手方向の端部が当たるシート４１の部分（下方部分）では他の部分（上方部分）よりも温風が多く通るように、風道部４２をより大きな円柱形状としてもよい。これにより、風道部３２が配設されるシート４１の部分が大きく膨らみタオル２０により密着し、手をよく拭くタオル２０の長手方向の端部をより早く乾燥させることができる。この場合も孔４３の大きさを一様でなく、下方部分の孔４３を他の部分の孔４３よりも大きくしてもよい。
【００５４】  また、孔４３の数も図１６に示す数に限定されるものではない。シート４１を切断線（ＢＢ矢視）により切断した断面図を図１７に示す。図１７に示すように、風道部４２はシート４１内に等間隔で配設されている。第２の実施形態のタオル掛けは、温風発生器によって吹き出された温風を風道部４２に滞留させてタオル２０を乾燥させるものであり、温風を一定時間（数分から数十分など）継続して吹き出して乾燥させるものではない。そのため、温風を発生させる際の音はごく一瞬であり、第２の実施形態のタオル掛けにおいても時間と場所を選ばずに使用することができるという有利な効果を奏する。
【００５５】  上述したようなタオル掛けによれば、タオルが湿っても即座に乾燥させ、快適にタオルを利用することができる。
【００５６】  以上の実施形態に関して以下の付記を開示する。
【００５７】（付記１）
２つのシートが重ね合わされ、それぞれのシートの重ね合わされた面とは反対の面に乾燥させる対象の乾燥対象物が当接されるシート部と、
前記シート部を格納する格納部と、
前記シート部の一辺が取り付けられ、前記シート部を前記格納部へ巻物状にして巻き上げる又は巻き上げる方向の回転とは逆に回転させて前記シート部を前記格納部から送り出す巻き上げ部と、
前記シート部のそれぞれのシートの間に配設され、温風を吹き出す温風発生器から吹き出される温風を通す風道部とを、
備えることを特徴とするタオル掛け。
【００５８】（付記２）
前記シート部は、前記シートが重ね合わされた状態でそれぞれのシートを貫通する孔が前記風道部上に配設されていることを特徴とする付記１に記載のタオル掛け。
【００５９】（付記３）
前記シート部の前記乾燥対象物の当接される面を凹凸加工したことを特徴とする付記１又は２に記載のタオル掛け。
【００６０】  また、上述した各実施形態は、上述したものに限定されるものではなく、各実施形態の要旨を逸脱しない範囲において種々の変更を加えることができる。例えば、タオル掛けがタオルに芳香剤を塗布する構成を有していてもよく、またシート１１（４１）に脱臭剤（例えば、活性炭など）や乾燥剤（例えば、シリカゲルなど）を含めるようにしてもよい。これにより、使用する際に快適に使用することができる。
【産業上の利用可能性】
【００６１】  本発明に係るタオル掛けは、タオルが湿っても即座に乾燥させ、快適にタオルを利用することができるため、タオルを掛けるタオル掛けに有用である。
【符号の説明】
【００６２】１０  タオル掛け
１１、４１  シート
１２  格納部
１３  引き出し部
１４  巻き上げ部
１５  巻き上げチューブ
１６  スプリング
１７  隙間
１８（１８ａ、１８ｂ）  フック
１９  バー
２０  タオル
２１  電熱線
２２  通気孔
２６  袋部
２６ａ、２７ａ  ２７ｂ  辺
２７  被覆部
２８（２８ａ、２８ｂ）  挟み込み部
２９  下方端部
３０  上方端部
３１（３１ａ、３１ｂ）  端部
４２  風道部
４３  孔
４４  挿入口
４５  排出口
９０  凸部
９１  凹部
１２０、１２１、１４０  矢印
【図１】
2020203056.tif 000003
【図２】
2020203056.tif 000004
【図３】
2020203056.tif 000005
【図４】
2020203056.tif 000006
【図５】
2020203056.tif 000007
【図６】
2020203056.tif 000008
【図７】
2020203056.tif 000009
【図８】
2020203056.tif 000010
【図９】
2020203056.tif 000011
【図１０】
2020203056.tif 000012
【図１１】
2020203056.tif 000013
【図１２】
2020203056.tif 000014
【図１３】
2020203056.tif 000015
【図１４】
2020203056.tif 000016
【図１５】
2020203056.tif 000017
【図１６】
2020203056.tif 000018
【図１７】
2020203056.tif 000019